(57)【要約】  車両内の移動電話用の保持器であって、車両内に据置式で配置されている基本部分（３）と、この基本部分内でこれに対して取外し可能に配置されていて移動電話（１）を取外し可能に受容するための保持部分（２）とを有する前記保持器において、保持部分（２）が短距離送受信装置（４）を有し、この送受信装置が、移動電話（１）とは結線式の電気接続を有している、及び、車両内で別の箇所に配置されていて車両と電気的に接続された対応する他の送受信装置（５）とは無線接続を有していること。
2007507127.tif 000002
【特許請求の範囲】
【請求項１】
車両内の移動電話用の保持器であって、車両内に据置式で配置されている基本部分と、この基本部分内でこれに対して取外し可能に配置されていて移動電話を取外し可能に受容するための保持部分とを有する前記保持器において、
保持部分が短距離送受信装置を有し、この送受信装置が、移動電話とは結線式の電気接続を有している、及び、車両内で別の箇所に配置されていて車両と電気的に接続された対応する他の送受信装置とは無線接続を有していることを特徴とする保持器。
【請求項２】
保持部分がアンテナを備えていることを特徴とする、請求項１に記載の保持器。
【請求項３】
保持部分が、車載ネットワークに対する端子コンタクト、及び、車載ネットワークと接続され、移動電話の充電端子に対する他の端子コンタクトを介して通じている電気導線を有することを特徴とする、請求項１又２に記載の保持器。
【請求項４】
車両内の移動電話の稼動方法であって、移動電話が保持部分内に取外し可能に固定されていて、保持部分の方が、車両内に据置式で配置されている基本部分内に取外し可能に保持されている、前記方法において、
保持部分（２）が移動電話（１）との結線式の電気接続を有し、この保持部分（２）の短距離送受信装置（４）を介し、制御装置（５）内の対応する他の送受信装置との無線接続が確立され、更には制御装置（５）が車両内部のハンズフリー通話装置と接続されていて、セルラー電話網に対する移動電話の接続を確立することを特徴とする方法。
【請求項５】
移動電話自体内に設けられている短距離送受信装置用の、保持部分内に設けられている認識回路を介し、移動電話の短距離送受信装置が遮断されることを特徴とする、請求項４に記載の方法。
【請求項６】
移動電話自体内に設けられている短距離送受信装置用の、保持部分内に設けられている認識回路を介し、保持部分の短距離送受信装置が遮断されることを特徴とする、請求項４に記載の方法。
【請求項７】
短距離送受信装置を用いた移動電話で、この送受信装置を用いては読み出すことができず伝送することのできないデータが、保持部分の結線式の電気接続を介して読み出され、その送受信装置を介して制御装置に伝送されることを特徴とする、請求項４〜６のいずれか一項に記載の方法。
【発明の詳細な説明】
【技術分野】
【０００１】
本発明は、車両内の移動電話（モバイルテレフォン）用の保持器（ホルダ）に関し、この保持器は、車両内に据置式で配置されている基本部分と、この基本部分内でこれに対して取外し可能に配置されていて移動電話を取外し可能に受容するための保持部分とを有する。また本発明は、車両内でそれにより保持された移動電話の稼動方法に関する。
【背景技術】
【０００２】
この種の保持器は例えば特許文献１から知られている。基本部分と保持部分という２つの部分から成るこの保持器において電力供給及びデータ技術的な接続は、車両の車載ネットワークから基本部分へ、そしてこの基本部分から保持部分へと多芯接続ケーブルを用いて行われる。
【０００３】
最近では、車両内で別の箇所に配置されていて車載ネットワークとデータ技術的に接続されている制御装置に対し、短距離（ショートレンジ）無線接続を確立することのできる移動電話も知られるようになった。その際、基本部分と保持部分を介した車載ネットワークへのデータ技術的な接続は不必要であり、もはや意図されてもいない。車両にそのような制御装置が装備されている場合、車両内では、短距離無線接続を構築することのできる移動電話だけが使用され得る。
【０００４】
【特許文献１】ドイツ実用新案登録第２９７１３２３９Ｕ１号明細書
【発明の開示】
【発明が解決しようとする課題】
【０００５】
本発明の基礎を成す課題は、移動電話の稼動が、短距離無線接続を用い、車載ネットワークに対するハードウェア上のデータ技術的な接続が欠如している場合にも可能である、冒頭に掲げた形式の保持器を創作すること、並びに、移動電話の稼動が、短距離無線接続を用い、車載ネットワークに対するハードウェア上のデータ技術的な接続が欠如している場合にも可能である方法を創作することである。
【課題を解決するための手段】
【０００６】
前記の課題は、冒頭に掲げた形式の保持器においては特許請求項１に記載した特徴により、方法のためには特許請求項４に記載した特徴により解決される。
【０００７】
保持部分が短距離（ショートレンジ）送受信装置を有し、この送受信装置が、移動電話とは結線式の電気接続を有し、制御装置内の対応する他の送受信装置とは無線接続を有している。
【０００８】
つまり、本発明に従い形成されている保持器は、この中に、移動電話であってこの移動電話自体が制御装置に対して短距離無線接続を確立することのできない移動電話をも受容され得るという長所を有する。基本部分が車載ネットワークに対してデータ技術的な接続を確立する必要はないので、この基本部分は後からも車両内に取り付けられ得る。従って本発明に従う保持器は、特に移動電話用の保持器が工場出荷時に装備されていない車両のための後付け解決策として適している。
【０００９】
本発明に従い形成されている保持器では、保持部分がアンテナを備えていることが有利であると示されている。このアンテナは、短距離無線接続の特別な送受信特性に対して正確に同調され得る。
【００１０】
追加的に、保持部分が、車載ネットワークに対する端子コンタクト、及び、車載ネットワークと接続され、移動電話の充電端子に対する他の端子コンタクトを介して通じている電気導線を有すると特に有利である。従って移動電話は、保持された状態で再充電され、無制限で機能可能であり得る。
【００１１】
本発明の更なる改善は、保持部分が、移動電話自体内に設けられている短距離送受信装置用の認識回路を有すること、及び、保持部分の短距離送受信装置が場合によりその認識回路により遮断可能であることにある。従って短距離無線接続を用いた移動電話も短距離無線接続を用いない移動電話も保持器内に配置され得る。この際、競合する送受信装置の望まれない相互作用は排除されている。
【００１２】
本発明に従う方法にとって保持部分の短距離送受信装置は本質的なものであり、この送受信装置の方は移動電話との結線式の電気接続を有する。この送受信装置を介し、制御装置内の対応する他の送受信装置との無線接続が確立される。制御装置は、車両内部のハンズフリー通話装置と接続されていて、セルラー電話網に対する移動電話の接続を確立する。
【００１３】
本発明に従う方法では、移動電話であってこの移動電話自体が制御装置に対して短距離無線接続を確立することのできない移動電話をも保持器内に受容させることが可能である。基本部分が車載ネットワークに対してデータ技術的な接続を確立する必要はないので、この基本部分は後からも車両内に取り付けられ得る。従って本発明に従う保持器は、特に移動電話用の保持器が工場出荷時に装備されていない車両のための後付け解決策として適している。
【００１４】
本発明に従い形成されている保持器では、保持部分がアンテナを備えていることが有利であると示されている。このアンテナは、短距離無線接続の特別な送受信特性に対して正確に同調され得る。
【００１５】
追加的に、保持部分が、車載ネットワークに対する端子コンタクト、及び、車載ネットワークと接続され、移動電話の充電端子に対する他の端子コンタクトを介して通じている電気導線を有すると特に有利である。従って移動電話は、保持された状態で再充電され、無制限で機能可能であり得る。
【００１６】
本発明の更なる改善は、保持部分が、移動電話自体内に設けられている短距離送受信装置用の認識回路を有することにある。移動電話の適切なプログラミングを介し、その短距離送受信装置を非作動にし且つ保持部分の対応装置を作動させることが可能である。従って短距離無線接続を用いた移動電話も短距離無線接続を用いない移動電話も保持器内に配置され得る。この際、競合する送受信装置の望まれない相互作用は排除されている。各場合において、移動電話と車両内の制御装置との間の通信は、保持器の短距離送受信装置を介して行われる。
【００１７】
それとは逆に、保持部分の対応装置を非作動にすることも可能である。従ってここでも、短距離無線接続を用いた移動電話も短距離無線接続を用いない移動電話も保持器内に配置され得る。この際、競合する送受信装置の望まれない相互作用は排除されている。この場合において、移動電話と車両内の制御装置との間の通信は、移動電話自体の短距離送受信装置を介して行われる。
【発明を実施するための最良の形態】
【００１８】
次に図面に基づき本発明を更に説明する。
【実施例１】
【００１９】
図１では移動電話（モバイルテレフォン）１が保持部分２内に取外し可能に固定されている。保持部分２の方は、車両内に据置式で配置されている基本部分３内に取外し可能に保持されている。保持部分２は短距離（ショートレンジ）送受信装置４を有し、送受信装置４の方は、移動電話１との結線式の電気接続（非図示）を有している。それにより、制御装置５内の対応する他の送受信装置との無線接続が確立される。制御装置５は車両内部のハンズフリー通話装置（非図示）と接続されていて、このハンズフリー通話装置はセルラー電話網に対する移動電話１の接続を確立する。
【００２０】
先ず、典型的なものであるブルートゥース標準規格に従う短距離無線接続を移動電話１がもたない場合を考察する。送受信装置４の短距離無線接続（以下ではブルートゥース・インターフェースと呼ぶ）を介し、複数の機能が援助され得る。機能（以下では基本機能と呼ぶ）の一部のために、公にされている標準規格が存在する。これは、実際のハンズフリー通話の可能性に係るものである。このハンズフリー通話は、公にされているブルートゥース標準規格、即ちハンズフリープロフィールに従い、保持部分２と制御装置５の間のブルートゥース・インターフェースを介して変換される。
【００２１】
短距離無線接続を用いた移動電話１の選択的な場合には、本発明に従い、移動電話１が保持部分２内に入れられると直ちにこの短距離無線接続を遮断することが意図されている。送受信装置４は、再び、制御装置５内の対応する送受信装置との無線接続を確立し、前述の場合に対応し、ハンズフリー通話を保持部分２と制御装置５の間のブルートゥース・インターフェースを介して変換することを可能にする。
【００２２】
所定の製造者の移動電話では、移動電話内に普通一般に設けられている電話帳を移動電話の短距離送受信装置を介して制御装置に伝送することはできない。しかし、これらのデータを、保持部分２の結線式の電気接続を介して読み出し、保持部分２の送受信装置を介して制御装置５に伝送することが可能である。
【００２３】
制御装置５内に電話帳が記憶され、保持部分２内に移動電話１が入れられるたびに再び更新されると、図２に示されているように、移動電話１が保持部分２内に入れられていない場合にもその電話帳を使用し、例えば車両インストルメントパネル内のディスプレイ上に表示することが可能である。その際、そのための前提は、電話帳が移動電話に対して対応的な識別を用いて割り当てられるということだけである。この識別は、移動電話自体から又は保持部分から出力され得る。
【図面の簡単な説明】
【００２４】
【図１】本発明に従う方法を実現化するための装置を示す図であり、この装置では移動電話が保持部分内に固定されている。
【図２】図１の装置を示す図であるが、ここで移動電話は保持部分から取り出されている。
【符号の説明】
【００２５】
１    移動電話
２    保持部分
３    基本部分
４    送受信装置
５    制御装置
【図１】
2007507127.tif 000003
【図２】
2007507127.tif 000004
【国際調査報告】
2007507127.tif 000005
2007507127.tif 000006
2007507127.tif 000007
2007507127.tif 000008